(57)【特許請求の範囲】
【請求項１】
歩道又は車道に立設される支柱の根元に犬猫の放尿を防止するために設置される構造物であって、支柱根元の周りの歩道又は車道に設置される受枠と、支柱根元を取り囲む形態をなして前記受枠に装着され、無数の開口を備えた多孔板よりなり、前記支柱は根元に固定されるベースプレートを地中に埋設して固定されるアンカーに連結することにより取付けられ、また前記受枠は、前記ベースプレートとアンカーのうち、少なくとも一方に取付けられる取付金具に支持され、該取付金具には受枠の高さを調節する調節手段が設けられることを特徴とする犬猫放尿防止用構造物。
【請求項２】
多孔板は二つ割りに形成され、支柱根元に両側より当てがって組付けられ、多孔板下には凹所が前記支柱根元の周りに形成されることを特徴とする請求項１記載の犬猫放尿防止用構造物。
【請求項３】
多孔板は二つ割りに形成され、それぞれが一側を前記受枠に軸着されて、上向きに観音開き状に開閉可能であり、多孔板下には凹所が前記支柱根元の周りに形成されることを特徴とする請求項１記載の犬猫放尿防止用構造物。
【発明の詳細な説明】
【技術分野】
【０００１】
信号機を備えた信号機用柱、夜間照明用の照明器具を備えた照明柱、電信柱、電柱、サインポール、標識柱、広告塔柱（本発明においては、これらを代表して支柱という。したがって本発明における支柱とは、信号機用柱、照明柱、電信柱、電柱、サインポール、標識柱、広告塔柱等を含むものとなる）は通常、歩道に面して立設され、その施工は多くの場合、支柱根元にベースプレートを固定し、該ベースプレートを地中に埋設して固定されるアンカーに連結することにより行われている。
【０００２】
本発明は、こうした支柱の根元に設置され、支柱根元に犬、猫がマーキングのため放尿するのを防止することのできる構造物に関する。
【背景技術】
【０００３】
支柱の根元には、しばしば犬猫がマーキングのために放尿し、そのために不衛生で、悪臭を発することがあり、金属製の柱では腐食したり、塗装が剥離するなどの問題が生じていた。こうした問題を解消するため下記特許文献１には、電柱の根元の周りにピン状の突出部を放射状に突設し、犬猫が突出部に邪魔されて支柱根元に近付けないようにした放尿防止用具が開示されている。
【先行技術文献】
【特許文献】
【０００４】
【特許文献１】特開平１１−１９６７５３号
【発明の概要】
【発明が解決しようとする課題】
【０００５】
前述する放尿防止用具では、突出部が支柱より側方に突出しているため、電柱に近づくと歩行者に当たり、歩行の障害となるおそれがある。
【０００６】
本発明は、歩道又は車道に立設される支柱の根元に設置され、歩行の障害となることなく、犬猫の放尿を防止することができる構造物を提供することを目的とする。
【課題を解決するための手段】
【０００７】
請求項１に係る発明は、歩道又は車道に立設される支柱の根元に犬猫の放尿を防止するために設置される構造物であって、支柱根元の周りの歩道又は車道に設置される受枠と、支柱根元を取り囲む形態をなして前記受枠に装着され、無数の開口を備えた多孔板よりなり、前記支柱は根元に固定されるベースプレートを地中に埋設して固定されるアンカーに連結することにより取付けられ、また前記受枠は、前記ベースプレートとアンカーのうち、少なくとも一方に取付けられる取付金具に支持され、該取付金具には受枠の高さを調節する調節手段が設けられることを特徴とする。
【０００８】
請求項２に係る発明は、請求項１に係る発明において、多孔板は二つ割りに形成され、支柱根元に両側より当てがって組付けられ、多孔板下には凹所が前記支柱根元の周りに形成されることを特徴とする。
【０００９】
請求項３に係る発明は、請求項１に係る発明において、多孔板は二つ割りに形成され、それぞれが一側を前記受枠に軸着されて、上向きに観音開き状に開閉可能であり、多孔板下には凹所が前記支柱根元の周りに形成されることを特徴とする。
【発明の効果】
【００１０】
犬猫に限らず、小動物は一般に穴があると、該穴に脚が嵌まって抜け出なくなる恐怖心から、本能的に穴のあいた箇所を避ける習性がある。そのため請求項１に係る発明のように、支柱根元の周りに無数の開口があると、犬猫が怖がって支柱根元に近付かなくなり、放尿が防止される。多孔板の開口は安全上、幼児の脚が嵌まらない程度の大きさにされる。したがって大人に限らず、幼児が歩行しても安全で、歩行に支障を来たすことはない。上記開口はまた、好ましくは犬猫の脚が嵌まりうる程度の大きさをなしているのが望ましいが、実際には犬猫の脚が嵌る程度の大きさの穴でなくても脚が嵌る警戒心を抱かせる程度の大きさをなしていればよい。
【００１１】
支柱が立設される歩道に勾配がある場合、受枠の高さを調節手段により調節することにより多孔板を歩道の勾配に合わせて傾斜させ、歩道と段差を生じさせないようにすることができる。また高さ調節手段を備えた取付金具は、支柱を固定するために必要とされるベースプレートとアンカーのうち、少なくとも一方に取付けられ、支柱根元の周りに取付金具を取付けるための特別な構造のものを設ける必要がない。
【００１２】
多孔板は、支柱施工時に支柱の先端より挿入して支柱に嵌め込み、この状態で施工を行うようにすれば、穴をあけた一体ものの多孔板とすることもできるが、請求項２に係る発明にように二つ割りに形成すれば、支柱根元に外周側より取付けることが可能で、支柱施工後においても、また既存の支柱にも取付けることができる。また多孔板を受枠に装着し、取外しが簡単にできるようにしておけば、支柱根元の点検を容易に行うことができ、補修もその程度によって、例えば塗装等も可能である。また多孔板が取付けられる前では、支柱根元の作業が可能で、支柱取付けのための施工作業を行うことができる。
【００１３】
多孔板はまた、請求項３に係る発明のように、二つ割りに形成して各一側を前記受枠に軸着し、観音開き状に開閉できるようにすれば、開くことで前記したと同様の効果、すなわち支柱根元の点検を容易に行うことができ、支柱根元の補修も可能であること、多孔板を開くことによって支柱根元の作業が可能であることから、多孔板を設置したのちでも支柱取付けのための施工作業を行うことができることなどの効果を有する。なお点検、補修後は開いた多孔板を閉じる操作を行うだけで、それ以外の特別な取付け作業を要しない。
【００１４】
また請求項２及び３に係る発明のように、多孔板下の前記支柱根元の周りに凹所を形成すれば、該多孔板通して支柱根元の腐食その他の不具合意を点検することができ、また多孔板を通して凹所を覗き見ることができるようにし、多孔板の穴の深さが深いことが分かるようにしておけば、犬猫の警戒心をより一層増すことができる。
【図面の簡単な説明】
【００１５】
【図１】受枠に装着して取付けられた多孔板の平面図。
【図２】多孔板の別の例を示す概略平面図。
【図３】歩道に立設される支柱の根元構造における断面図。
【図４】歩道が勾配を有する場合の支柱根元構造における断面図。
【図５】歩道が図４と直交する方向に勾配を有する場合の支柱根元構造における断面図。
【図６】支柱根元構造の別の態様における概略断面図。
【図７】支柱根元構造の更に別の態様の断面図。
【発明を実施するための形態】
【００１６】
以下、根元に犬猫がマーキングのため放尿するのを防止することのできる支柱用の構造物に関する実施例について図面により説明する。
【００１７】
図１に示す多孔板１は、二つ割りにされ、それぞれが一定間隔で配置される縦桟１ａと、該縦桟１ａと直交して一定間隔で配置される横桟１ｂよりなり、各縦桟１ａと横桟１ｂで形成される開口１ｃが矩形をなす格子状構造物よりなり、一辺中央には半円形の凹部２が形成され、該凹部２を支柱５に当てがって向き合うように組み合わせたとき、中央に後述する支柱根元が入る円形の穴が形成されるようになっている。
【００１８】
図示する穴は、円形断面の支柱根元が入る円形の穴となっているが、支柱断面が例えば矩形である場合、支柱５が通される穴も矩形に形成される。
【００１９】
格子状構造物は、図１に示すものに限ることなく、縦桟１ａ及び横桟１ｂのピッチは任意に設定される。また格子状構造物の外枠は矩形に限らず、例えば五角形等の多角形、円形、楕円形そのた任意の形状であってもよい。
【００２０】
多孔板１はまた格子状構造物以外の例えばハニカム状構造物であってもよいし、図２に示す多孔板３のように同心円状をなす環状材３ａと、該環状材３ａを放射状に連結する連結材３ｂよりなるものであってもよい。したがって前者のハニカム状構造物よりなる多孔板では、開口は六角形となり、図２に示す多孔板３では開口３ｃは円弧状をなすようになる。
【００２１】
多孔板１はまた、開口が前述するような四〜六角形及び円弧形以外の多角形、円形、楕円形、その他任意の形態をなすものであってよいし、かかる形態の開口の２以上の組合せよりなるものであってもよい。こうした開口を有する多孔板は通常、プレス加工により形成され、パンチングプレートのような形態をなすものとなる。いずれにしても前記開口は、安全上、幼児の脚が嵌まり込まない程度の大きさに形成される。そして好ましくは通常の大きさの犬猫の脚が入る程度の大きさに形成される。
【００２２】
支柱５の根元には図３に示すように下端にフィン状の補強部６を介してベースプレート７が固着され、該ベースプレート７は地中に埋設して固定されるアンカー８に通され、ベースプレート７より突出するアンカー８にナット９を捩じ込んで締着することにより地面ないしコンクリートに固定されるようになっている。
【００２３】
歩道１１は、例えば敷石、コンクリートブロックを敷設するか、或いはコンクリートの打設によって形成され、多孔板１下の支柱根元の周りには連結部６が納まる程度の凹所１２が形成され、支柱根元全体が凹所１２内に露出し、多孔板１の開口３ｃを通して支柱根元を覗き見て点検できるようにしてある。そして凹所１２には、周縁の凹部に倒Ｌ形断面の受枠１３が取付けられ、連結部６上の支柱５に凹部をあてがって組付けられる一対の多孔板１が受枠１３に装着されるようになっている（図１参照）。なおこの凹所１２には多孔板１の開口３ｃを通して雨水が流入することから、排水のため凹所１２には図示していないが、排水管が接続され、凹所１２内の排水が行えるようにしてある。
【００２４】
多孔板１は受枠１３に単に置くだけで装着してもよいが、好ましくは受枠１３に固定される。この固定は図示する例においては、多孔板１を構成する格子状構造物の対抗辺に角形の取付板１４を一対ずつ取付け、該取付板１４に上方より通した止ネジ１５の受枠１３よりの突出部分にナット１６を捩じ込んで締着することにより行われる。止ネジ１５は受枠１３に下方より通し、取付板１４より突出する突出端にナット１６を捩じ込んで取り付けることもできる。
【００２５】
受枠１３を支持する取付金具１８は、アンカー８を連結する連結金具２０上に重ねてアンカー８に差し込まれる水平部１９ａと、該水平部１９ａの一端より立ち上がる垂直部１９ｂを有するＬ形断面の下金具１９と、上端が受枠１３に例えば溶接にて固着される垂直部２１ａと、該垂直部下端より横向きに屈折される取付部２１ｂを有する断面Ｌ形の上金具２１と、下金具１９における垂直部１９ｂ上端の横向きに屈折される取付部１９ｃ及び上金具２１の取付部２１ｂに通されるボルト２２と、該ボルト２２に捩じ込まれ、上金具２１の取付部２１ｂを上下より挟んで締着し、ボルト２２と共に両取付部１９ｃ、２１ｂを連結するナット２３よりなっている。
【００２６】
下金具１９の取付部１９ｃは、ボルト２２を上下動させてナット２３による締着位置を変えることで受枠１３の上下位置、すなわち高さが調節できるようになっており、これら上下の金具１９、２１、ボルト２２及びナット２３が受枠１３の高さ調節手段を構成するが、受枠１３の高さは、これ以外の既知の任意の手段、例えば上下の金具１９、２１の取付部１９ｃと２１ｂを適当な厚み（高さ）のスペーサを介して連結する方法、垂直部１９ｂ或いは２１ａの長さの異なる金具１９、２１を用いる方法などを用いることができる。
【００２７】
図示する実施形態において、取付金具１８は受枠１３の高さ調節手段が歩道内に埋設され、そのため高さ調節手段により受枠１３の高さを調節したのち、歩道１１が形成されるようになるが、例えば受枠１３に凹所１２を形成する側壁面に沿う垂下部を形成し、該垂下部に上金具１９の垂直部２１ａを溶接等にて固着させて取付部２１ｂを凹所１２内側に突出させ，同様に下金具１９の取付部１９ｃを凹所１２内側に突出させて両取付部１９ｃ、２１ｂをボルト２２及びナッ２３にて連結させるようにすれば、歩道形成後でも受枠１３の高さを調節したり、ボルト２２やナット２３の交換を行うことができる。
【００２８】
図３は、多孔板１が水平に取付けられた例を示すもので、多孔板１が水平に取付けられている。受枠１３の高さを調節する必要がない場合には、前述する取付金具１８は省くことができる。
【００２９】
図４は、歩道１１が図１に示す多孔板１の左右方向に勾配を有する場合の例を示すもので、ナット２３の締着位置を変えることで図の左側の受枠１３は高く、右側の受枠１３は低くされ、これら受枠１３に装着される多孔板１が歩道勾配と同じ勾配をなしている。
【００３０】
図５は、前記歩道１１が図４と直交する方向（図１に示す多孔板１の前後方向）に勾配を有する場合の例を示すもので、前記と同様、ナット２３の締着位置を変えることで図の左側の受枠１３は高く、右側の受枠１３は低くされ、これら受枠１３に装着される多孔板１が歩道勾配と同じ勾配をなすようになっている。
【００３１】
前記実施形態では、二つ割りにされた多孔板１はそれぞれ、支柱根元の周りに組付けられて受枠１３に装着され、実施形態によっては受枠１３に固定されるが、図６に示す実施形態においては、二つ割りにされた多孔板１のそれぞれが各一側において、受枠１３にヒンジ２４によって軸着され、上向きに観音開き状に開閉できるようにしてある。このヒンジ２４は、詳細な構造を図示していないが、例えば多孔板１と受枠１３を連結する丁番のようなもの、多孔板１より突設され、受枠１３に軸着されるヒンジピンのようなものを例示することができる。
【００３２】
本実施形態によると、多孔板１を図６の一点鎖線で示すように観音開き状に開くことによって支柱根元の点検を容易かつ確実に行うことができ、支柱根元の簡単な補修、例えばボルト８やナット９の交換、塗装等の作業が凹所１２上方より身を乗り出して或いは凹所１２内に脚を踏み入れて行うことが可能である。図示する例では多孔板１は上向きに起されているが、歩道上に逆向きにして倒してもよい。点検、補修後は多孔板１は閉じられる。この際、閉じる操作を行うだけで、それ以外の特別な取付け作業を要しないが、閉じた状態で固定できるようにしてもよい。なお前記実施形態においては、ベースプレート７より突設される支柱５を補強するため、支柱根元にはベースプレート７に連結されるフィン状の補強部２５を取付けているが、支柱根元の強度が十分に得られる場合には。補強部２５を省くことができる。
【００３３】
図７に示す実施形態の構造物は、前記図３に示す実施形態の構造物において、下金具１９の支持部１９ｂの水平部１９ａを連結金具２０の代わりにベースプレート７下面に当ててアンカー８に通し、ナット９により締着したもので、これ以外の構造は、図３に示す構造物と変わりがない。
【００３４】
前記実施形態ではまた、多孔板１は歩道に立設される支柱の根元に取付けられるようになっているが、車道に立設される支柱の根元にも同様に取付けることができる。
【符号の説明】
【００３５】
１、３・・多孔板
２・・凹部
５・・支柱
６、２２・・ボルト
７・・ベースプレート
８・・アンカー
９、２３・・ナット
１１・・歩道
１２・・凹所
１３・・受枠
１８・・取付金具
１９・・下金具
２０・・連結金具
２１・・上金具
２４・・ヒンジ
【図１】
0005976060.tif 000002
【図２】
0005976060.tif 000003
【図３】
0005976060.tif 000004
【図４】
0005976060.tif 000005
【図５】
0005976060.tif 000006
【図６】
0005976060.tif 000007
【図７】
0005976060.tif 000008